(57)【特許請求の範囲】
【請求項１】
可動障子の召合せ部に取付けた摺動部材を、窓枠の縦枠の縦溝に沿って上下動自在とすることで、この可動障子を窓枠に、閉鎖位置と開放位置とに亘って上下動自在とし、この可動障子が閉鎖位置の時に召合せ部が窓枠の上下中間に位置するようにした上げ下げ窓において、
前記縦枠の縦溝に位置決め部材を、前記可動障子が閉鎖位置の時に前記摺動部材が位置決め部材と左右方向、室内外側方向に対向し、かつ可動障子が開放位置に向けて移動する時には摺動部材と離隔するように取付け、
この位置決め部材と摺動部材が対向した時に、両者の左右方向の隙間、室内外側方向の隙間は、前記摺動部材と縦溝との間の左右方向の隙間、室内外側方向の隙間よりもそれぞれ小さいことを特徴とする上げ下げ窓。
【請求項２】
摺動部材はガイド部と、このガイド部よりも可動障子閉鎖位置方向寄りに位置する位置決め部を備え、
前記ガイド部が縦溝に沿って摺動ガイドされると共に、位置決め部が位置決め部材と対向するようにし、
前記縦溝とガイド部との間の隙間を位置決め部と縦溝との間の隙間よりも小さくした請求項１記載の上げ下げ窓。
【請求項３】
縦溝は、左右方向に相対向した２つの左右方向の内面と、室内外側方向に相対向した２つの室内外側方向の内面を有し、
摺動部材はガイド部と、このガイド部よりも可動障子閉鎖方向寄りに位置する位置決め部を備え、前記ガイド部は左右方向に向かう２つの左右方向のガイド面と、室内外側方向に向かう２つの室内外側方向のガイド面を有し、前記位置決め部は左右方向の位置決め面と室内外側方向の位置決め面を有し、
位置決め部材は左右方向の支持面と室内外側方向の支持面を有し、
前記縦溝の左右方向の内面と前記左右方向のガイド面及び、室内外側方向の内面と室内外側方向のガイド面がそれぞれ対向してガイド部が縦溝に沿って摺動ガイドされるようにし、
前記左右方向の位置決め面と前記左右方向の支持面及び室内外側方向の位置決め面と室内外側方向の支持面が対向して左右方向、室内外側方向に位置決めされるようにし、
前記内面とガイド面との間の隙間よりも前記内面と位置決め面との間の隙間が大きく、前記位置決め面と支持面との間の隙間を最も小さくした請求項１記載の上げ下げ窓。
【請求項４】
位置決め部の室内外側方向の位置決め面と、位置決め部材の室内外側方向の支持面が、垂直面に対して傾斜面となり、かつ相互に接して摺動部材に室内外側方向の一方に向かう引寄せ力が作用するようにした請求項３記載の上げ下げ窓。
【発明の詳細な説明】
【技術分野】
【０００１】
本発明は、窓枠に可動障子を上下動自在に設けた上げ下げ窓に関する。
【背景技術】
【０００２】
従来から窓枠に可動障子を上下動自在に設けた上げ下げ窓が種々知られている。
例えば、特許文献１に窓枠の室内側部と室外側部とに可動障子を上下動自在に設けた上げ下げ窓が開示されている。
具体的には、窓枠の左右の縦枠に室内側、室外側の縦溝を形成し、各可動障子に左右の支持部材（摺動部材）を取付け、この支持部材を前述の縦溝に沿って上下方向に摺動自在として可動障子を窓枠に、閉鎖位置と開放位置とに亘って上下動自在に設けて開閉できるようにしてある。
【０００３】
【特許文献１】特開２０００−２４８８４３号公報
【発明の開示】
【発明が解決しようとする課題】
【０００４】
前述した従来の上げ下げ窓は、可動障子を閉鎖位置とした時に戸当り部（戸当り框）が窓枠の横枠（上枠、下枠）に当接するが、その可動障子の召合せ部（召合せ框）は窓枠の上下中間に位置して横枠とは当接しない。
このために、可動障子の召合せ部は支持部材によって左右方向（見付け方向）及び室内外側方向（見込み方向）に位置決めされるので、その支持部材の左右端面と縦溝の左右内面との間の左右方向の隙間、支持部材の室内外側端面と縦溝の室内側内面との間の室内外方向の隙間を小さくする必要がある。
しかし、前述の各隙間が小さいと支持部材が上下動する際の摺動抵抗が大きくなり、可動障子の開閉力が重くなる。
【０００５】
前述のように、可動障子に取付けた支持部材を縦枠の縦溝に沿って上下動自在とした上げ下げ窓においては、可動障子の開閉力が重くならずに、閉鎖位置の可動障子の召合せ部を左右方向、室内外側方向に確実に位置決めできない。
【０００６】
本発明の目的は、可動障子に取付けた摺動部材を縦枠の縦溝に沿って上下動自在とした上げ下げ窓において、可動障子の開閉力が軽いと共に、閉鎖位置の可動障子の召合せ部を左右方向、室内外側方向に確実に位置決めできるようにした上げ下げ窓とすることである。
【課題を解決するための手段】
【０００７】
本発明は、可動障子の召合せ部に取付けた摺動部材を、窓枠の縦枠の縦溝に沿って上下動自在とすることで、この可動障子を窓枠に、閉鎖位置と開放位置とに亘って上下動自在とし、この可動障子が閉鎖位置の時に召合せ部が窓枠の上下中間に位置するようにした上げ下げ窓において、
前記縦枠の縦溝に位置決め部材を、前記可動障子が閉鎖位置の時に前記摺動部材が位置決め部材と左右方向、室内外側方向に対向し、かつ可動障子が開放位置に向けて移動する時には摺動部材と離隔するように取付け、
この位置決め部材と摺動部材が対向した時に、両者の左右方向の隙間、室内外側方向の隙間は、前記摺動部材と縦溝との間の左右方向の隙間、室内外側方向の隙間よりもそれぞれ小さいことを特徴とする上げ下げ窓である。
【０００８】
本発明においては、摺動部材はガイド部と、このガイド部よりも可動障子閉鎖位置方向寄りに位置する位置決め部を備え、
前記ガイド部が縦溝に沿って摺動ガイドされると共に、位置決め部が位置決め部材と対向するようにし、
前記縦溝とガイド部との間の隙間を位置決め部と縦溝との間の隙間よりも小さいことが好ましい。
【０００９】
このようにすれば、可動障子を上下動する時にはガイド部が縦溝に沿って摺動されてガイド部が摺動抵抗となるが、位置決め部は摺動抵抗となることがないので、位置決め部によって摺動部材の摺動抵抗が大きくなることがなく、可動障子の開閉力を軽減できる。
【００１０】
本発明においては、縦溝は、左右方向に相対向した２つの左右方向の内面と、室内外側方向に相対向した２つの室内外側方向の内面を有し、
摺動部材はガイド部と、このガイド部よりも可動障子閉鎖方向寄りに位置する位置決め部を備え、前記ガイド部は左右方向に向かう２つの左右方向のガイド面と、室内外側方向に向かう２つの室内外側方向のガイド面を有し、前記位置決め部は左右方向の位置決め面と室内外側方向の位置決め面を有し、
位置決め部材は左右方向の支持面と室内外側方向の支持面を有し、
前記縦溝の左右方向の内面と前記左右方向のガイド面及び、室内外側方向の内面と室内外側方向のガイド面がそれぞれ対向してガイド部が縦溝に沿って摺動ガイドされるようにし、
前記左右方向の位置決め面と前記左右方向の支持面及び室内外側方向の位置決め面と室内外側方向の支持面が対向して左右方向、室内外側方向に位置決めされるようにし、
前記内面とガイド面との間の隙間よりも前記内面と位置決め面との間の隙間が大きく、前記位置決め面と支持面との間の隙間を最も小さくすることが好ましい。
【００１１】
このようにすれば、可動障子を上下動する時にはガイド部の各ガイド面が縦溝の各内面に沿って摺動ガイドされ、位置決め部の各位置決め面と縦溝の各内面が接しないから、摺動部材の摺動抵抗が軽減する。
また、可動障子が閉鎖位置の時には位置決め部の位置決め面と位置決め部材の支持面が左右方向、室内外側方向に対向し、かつその両者の隙間は小さいので、可動障子の召合せ部を左右方向、室内外側方向に正確に位置決めできる。
【００１２】
本発明においては、位置決め部の室内外側方向の位置決め面と、位置決め部材の室内外側方向の支持面が、垂直面に対して傾斜面となり、かつ相互に接して摺動部材に室内外側方向の一方に向かう引寄せ力が作用するようにすることが好ましい。
【００１３】
このようにすれば、可動障子を閉鎖位置とした時に、その可動障子の召合せ部が室内外側方向に引き寄せられるので、可動障子と縦枠との間の気密、水密性を向上できる。
【発明の効果】
【００１４】
本発明によれば、可動障子を上下動する時には摺動部材が縦溝に沿って摺動ガイドされ、その摺動部材は位置決め部材とは対向せずに離隔しているので、摺動部材の摺動抵抗は小さく、可動障子の開閉力が軽い。
また、可動障子が閉鎖位置の時には摺動部材が位置決め部材と左右方向、室内外側方向に対向して位置決めするので、可動障子の召合せ部を左右方向、室内外側方向に確実に位置決めできる。
【発明を実施するための最良の形態】
【００１５】
図１に示すように、窓枠１は上枠２と下枠３と左右の縦枠４，４で方形状である。
前記窓枠１に可動障子５が閉鎖位置と開放位置とに亘って上下動自在に設けてある。
この可動障子５が閉鎖位置の時には戸当り部５ａが窓枠１の横部（前述の上枠２）に当接し、召合せ部５ｂは窓枠１の上下中間に位置している。
前記可動障子５の召合せ部５ｂの左右に、左右の摺動部材１０がそれぞれ取付けてある。
この摺動部材１０が左右の縦枠４の縦溝２０に沿って上下方向に摺動自在にガイドされる。
前記左右の縦枠４の縦溝２０の上下方向の中間に位置決め部材３０がそれぞれ取付けてある。
そして、可動障子５が閉鎖位置の時に摺動部材１０が位置決め部材３０に左右方向、室内外側方向に対向して左右方向、室内外側方向に位置決めする。
なお、前記左右方向とは窓の見付け方向、図１で左右に向かう方向である。
また、前記室内側方向とは窓の見込み方向、図１で紙面と直角な方向である。
前記閉鎖位置の可動障子５が開放位置に向けて移動すると摺動部材１０が位置決め部材３０と離隔して摺動部材１０は縦溝２０で摺動ガイドされる。
【００１６】
前記摺動部材１０が位置決め部材３０と対向した時に、両者の左右方向の隙間、室内外側方向の隙間は小さく、閉鎖位置の可動障子５の召合せ部５ｂを左右方向、室内外側方向に正確に位置決めできる。
前記摺動部材１０と縦溝２０との間の左右方向の隙間、室内外側方向の隙間は前述の隙間よりも大きく、可動障子５を上下動して開閉する際の摺動抵抗が小さく、開閉力が軽い。
【００１７】
この実施の形態では、図１、図２に示すように窓枠１の室内側部と室外側部とに可動障子５が上下動自在にそれぞれ設けてあり、その室外側部に設けた可動障子５が前述した可動障子で、その摺動部材１０が図３に示すように縦枠４の室外側部に形成した縦溝２０内で摺動ガイドされる。
そして、窓枠１の室内側部に設けた可動障子５は、閉鎖位置で戸当り部５ａが窓枠１の下枠３に当接し、召合せ部５ｂが窓枠１の上下中間に位置している。この可動障子５の戸当り部５ａの左右に摺動部材１０がそれぞれ取付けてあり、その摺動部材１０が図３に示すように縦枠４の室内側部に形成した縦溝２０内で摺動ガイドされる。
前記位置決め部材３０は縦枠４の室外側部に形成した縦溝２０内に取付けてあるので、前述の室内側部に設けた可動障子５の摺動部材１０が干渉したりすることはない。
なお、図１は概略正面図で、図２、図３に示す詳細断面図とは寸法形状などが一部相違する。
本発明の上げ下げ窓は、窓枠１の室内側部と室外側部とに可動障子５を設けたものに限ることはなく、窓枠１の室外側部のみに可動障子５を設けて室内側部の可動障子５部分を嵌め殺しタイプとした上げ下げ窓などでも良いし、窓枠１の室内側部のみに可動障子を設けて室外側部の可動障子部分を嵌め殺しタイプとした上げ下げ窓でも良い。
この場合には、可動障子５の上下寸法が窓枠１の上下寸法の半分よりも短くても良い。
つまり、前述した窓枠１の上下中間とは上下方向の中央部に限ることはなく、上枠２寄りでも良いし、下枠３寄りでも良い。
【００１８】
前記左右の縦枠４の上部寄りに索条ガイド６が取付けてある。この索条ガイド６でガイドされる索条７の一端部７ａが室内側部に設けた可動障子５の摺動部材１０に連結され、他端部７ｂが室外側部に設けた可動障子５の摺動部材１０に連結してある。
これによって、室内側部に設けた可動障子５を実線矢印のように上方に移動して開放すると室外側部に設けた可動障子５が点線矢印のように下方に移動して２つの可動障子が開放位置となって窓が開放する。
この状態から室内側部に設けた可動障子５を下方に移動すると室外側部に設けた可動障子５が上方に移動して図１に示す閉鎖位置となって窓が閉じる。
つまり、図１に示す上げ下げ窓は内、外に可動障子を設け、その２つの可動障子が連動して上下動するタイプである。
【００１９】
前述した図１に示す上げ下げ窓においては、室内側部に設けた可動障子５の召合せ部５ｂを位置決めしていないが、２つの召合せ部相互をクレセント錠８で施錠しているので、室外側部に設けた可動障子５の召合せ部５ｂを位置決めすれば、室内側に設けた可動障子５の召合せ部５ｂも位置決めされる。
【００２０】
図１に示す上げ下げ窓において、索条ガイド６と索条７を設けずに、窓枠１の室内側部と室外側部とにバランサーをそれぞれ設け、その各バランサーの可動部を摺動部材１０にそれぞれ連結しても良い。
また、窓枠１の室内側部又は室外側部にのみ可動障子を設けて上げ下げ窓としても良い。
【００２１】
次に各部材の具体形状を説明する。
前記可動障子５は図１〜図３に示すように、上框４０と下框４１と左右の縦框４２を方形状に連結し、その内部にガラス４３が装着してある。
前記窓枠１の縦枠４は図４〜図６に示すように、室内外側方向に向かう基板４４と、この基板４４に室内外側方向に間隔を置いて一体的に設けた第１・第２・第３内向板４５，４６，４７を備え、基板４４と第１・第２内向板４５．４６で室内側の縦溝２０を形成し、基板４４と第２・第３内向板４６，４７で室外側の縦溝２０を形成している。
【００２２】
前記縦枠４の室外側部に形成した縦溝２０は図５に示すように、左右方向に相対向した２つの左右方向の内面２１（例えば、基板４４の内側面４４ａと第２・第３内向板４６，４７に設けた突片４６ａ，４７ａ）と、室内外側方向に相対向した２つの室内外側方向の内面２２（例えば、基板４４に設けた内向片４４ｂ、前記突片４６ａに設けた内向片４６ｂと第３内向板４７の内面４７ｂ）を有している。
なお、室内側部に形成した縦溝２０も同様である。
【００２３】
前記摺動部材１０は図４、図６、図８に示すように、ガイド部１０ａと位置決め部１０ｂと障子取付部１０ｃを備えている。
この障子取付部１０ｃが可動障子５の召合せ部５ｂ（例えば、下框４１の下面）の左右にビス等の固着手段１１で固着され、ガイド部１０ａと位置決め部１０ｂが可動障子５の左右の側面５ｃよりも側方に張り出して縦溝２０内に設けてある。
前記ガイド部１０ａは図６に示すように、左右方向に向かう２つの左右方向のガイド面１２と、室内外側方向に向かう２つの室内外側方向のガイド面１３を有し、この左右方向のガイド面１２、室内外側方向のガイド面１３が前述の縦溝２０の左右方向の内面２１、室内外側方向の内面２２とそれぞれ対向して上下方向に摺動ガイドされる。
この対向した各ガイド面と各内面との間には左右方向の隙間、室内外側方向の隙間があり、ガイド部１０ａの摺動抵抗は小さい。
【００２４】
前記位置決め部１０ｂはガイド部１０ａよりも可動障子閉鎖方向寄り、例えば上方寄りに位置し、左右方向の位置決め面１４と室内外側方向の位置決め面１５を有している。
この左右方向の位置決め面１４は左右一方のガイド面１２よりも内方寄りで、この左右方向の位置決め面１４と縦溝２０の左右一方の内面２１（基板４４の内面４４ａ）との間の左右方向の隙間は、前述の左右一方のガイド面１２と左右一方の内面２１との間の左右方向の隙間よりも大きい。これによって、可動障子５が上下動する時に位置決め面１４は内面２１に接しない。
前記室内外側方向の位置決め面１５は摺動部材１０の室外側部に位置し、この位置決め面１５は室内外側一方のガイド面１３（室外側のガイド面１３）よりも室内寄りで、この位置決め面１５と前記室内外側方向一方の内面２２（室外側の内面２２）との間の室内外側方向の隙間は、前述のガイド面１３と前述の内面２２との間の室内外側方向の隙間よりも大きい。これによって、可動障子５が上下動する時に位置決め面１５は内面２２に接しない。
つまり、ガイド部１０ａと縦溝２０との間の隙間よりも位置決め部１０ｂと縦溝２０との間の隙間が大きい。
【００２５】
このようであるから、摺動部材１０のガイド部１０ａが縦溝２０に沿って摺動する時に、その摺動部材１０の位置決め部１０ｂは縦溝２０の内面に接することがない。
したがって、位置決め部１０ｂが摺動部材１０の摺動抵抗となることがなく、その摺動部材１０の摺動抵抗を小さくできる。
【００２６】
この実施の形態では左右方向の位置決め面１４、室内外側方向の位置決め面１５は、垂直に対して上側が内側となるように傾斜面となっている。
また、この実施の形態では摺動部材１０の室内側部にも室内外側方向の位置決め面１５が形成してある。これによって、摺動部材１０を左右勝手違いに取付けできる。つまり、図６は可動障子５の左に取付けた摺動部材１０を示し、この摺動部材１０を可動障子５の右に取付ける場合には、室内外側方向に反転して室内側部と室外側部を反対に取付けるので、室内側部に位置決め面１５を形成している。
【００２７】
前記摺動部材１０の形状を詳細に説明する。
摺動部材１０は樹脂製の本体１６とＬ字型の金具１７を備え、その金具１７の横片１７ａと本体１６の長手方向一側部で取付部１０ｃとしてある。
前記金具１７の縦片１７ｂは本体１６よりも上方に突出して索条連結部としてあり、この縦片１７ｂの上部に索条７が連結される。
前記本体１６の長手方向他側部の長手方向端面、室内外側端面における上半分を傾斜面として位置決め面１４，１５としてある。この本体１６の長手方向他端部に４つの突部１８を設けてガイド部１０ａとしてある。
【００２８】
前記位置決め部材３０は図４、図５、図７、図９に示すように、可動障子５を左右方向に位置決めする１つの左右方向の支持面３１と、可動障子５を室内外側方向に位置決めする１つの室内外側方向の支持面３２を備えている。この左右方向の支持面３１と室内外側方向の支持面３２はＬ字状、好ましくは直角となっている。
可動障子５が閉鎖位置の時に、図４に仮想線で示すように摺動部材１０の左右方向の位置決め面１４が左右方向の支持面３１と対向、好ましくは接して左右方向に位置決めし、図７に仮想線で示すように摺動部材１０の室内外側方向の位置決め面１５が室内外側方向の支持面３２と対向、好ましくは接して室内外側方向に位置決めする。
【００２９】
この実施の形態では前記各支持面３１，３２は、垂直に対して上側に内側となるように傾斜面となっている。
これによって、左右方向の支持面３１に左右方向の位置決め面１４が接することで摺動部材１０に左右方向の一方（内側）に向かう力が作用する。
また、室内外側方向の支持面３２に室内外側方向の位置決め面１５が接することで摺動部材１０に室内外側方向の一方（室内側）に向かう力が作用し、可動障子５が室内側方向の一方（室内側）に引き寄せられるから、図６に示す可動障子５に装着したシール材５０が縦枠４に圧着して可動障子５と縦枠４との間の気密・水密性を向上することができる。
【００３０】
前記位置決め部材３０の形状を詳細に説明する。
図９に示すように、一側縦板３３と他側縦板３４でＬ字形状の本体３５を備え、その一側縦板３３と他側縦板３４の上下部分を斜面として支持面３１，３２としてある。
そして、図５に示すように一側縦板３３を左右一方の左右内面２１に接すると共に、他側縦板３４を室内外側方向一方の室内外側内面２２に接して取付けてある。
【図面の簡単な説明】
【００３１】
【図１】本発明の実施の形態を示す上げ下げ窓の概略正面図である。
【図２】上げ下げ窓の縦断面図である。
【図３】上げ下げ窓の横断面図である。
【図４】摺動部材と位置決め部材の取付部を示す縦断面図である。
【図５】図４のＡ−Ａ断面図である。
【図６】図４のＢ−Ｂ断面図である。
【図７】図４のＣ−Ｃ断面図である。
【図８】摺動部材の斜視図である。
【図９】位置決め部材の斜視図である。
【符号の説明】
【００３２】
１…窓枠、２…縦枠、５…可動障子、１０…摺動部材、１０ａ…ガイド部、１０ｂ…位置決め部、１２…左右方向のガイド面、１３…室内外側方向のガイド面、１４…左右方向の位置決め面、１５…室内外側方向の位置決め面、２０…縦溝、２１…左右方向の内面、２２…室内外側方向の内面、３０…位置決め部材、３１…左右方向の支持面、３２…室内外側方向の支持面。
【図１】
0004507200.tif 000002
【図２】
0004507200.tif 000003
【図３】
0004507200.tif 000004
【図４】
0004507200.tif 000005
【図５】
0004507200.tif 000006
【図６】
0004507200.tif 000007
【図７】
0004507200.tif 000008
【図８】
0004507200.tif 000009
【図９】
0004507200.tif 000010